(57)【特許請求の範囲】
【請求項１】
音声サンプリング/再建ユニットや音声サンプリング/再建ユニットに接続されるローカルエリアネットワークユニット及びローカルエリアネットワークユニットに接続される操作ユニットを有し、所定のサイクルに音声を含むか音声を含まないデータパケットを送信するエミッション機構と、
音声サンプリング/再建ユニットや音声サンプリング/再建ユニットに接続されるローカルエリアネットワークユニット及びローカルエリアネットワークユニットに接続される操作ユニットを有し、エミッション機構に連結された後、音声を有するか音声を有しないデータパケットを受信し、エミッション機構と受信機構との間において、待機状態を維持する、少なくとも一つの受信機構とが含有され、
受信機構は、受信機構の登録ボタンを押すことにより、登録のための通知を送信し、エミッション機構に登録を行って、
エミッション機構が起動されて、登録済みの受信機構を呼び出した時に、起動された受信機構が返事したら自動的に交信の受け付けが完了するか、または受信機構側の機能ボタンを押して前記受け付けを完了し、
さらに、受信機構は、エミッション機構から送信されるデータパケットを受信して、受信品質をエミッション機構に回報し、
エミッション機構は、受信機構からのデータパケットを受信して、受信品質が不適正な場合には、周波数交換表にそってチャンネルを順次切り替えて、受信品質が適正になるように交信チャンネルを設定することを特徴とする無線周波数交換外乱防止全二重音声放送装置。
【請求項２】
上記エミッション機構の音声サンプリング/再建ユニットとローカルエリアネットワークユニットとが、同期式シリアルインタフェース(SPI)によって接続されることを特徴とする請求項１に記載の無線周波数交換外乱防止全二重音声放送装置。
【請求項３】
上記エミッション機構のローカルエリアネットワークユニットに、少なくとも、ZigBeeモジュールやZigBeeモジュールに接続されるパワーアンプ及びパワーアンプに接続される無線周波数アンテナが含まれることを特徴とする請求項１に記載の無線周波数交換外乱防止全二重音声放送装置。
【請求項４】
上記ZigBeeモジュールに、同期式シリアルインタフェースバッファと転送バッファ、転送パケット音声器及びフラッシュメモリが含まれることを特徴とする請求項３に記載の無線周波数交換外乱防止全二重音声放送装置。
【請求項５】
上記受信機構の音声サンプリング/再建ユニットとローカルエリアネットワークユニットとが、同期式シリアルインタフェース(SPI)によって接続されることを特徴とする請求項１に記載の無線周波数交換外乱防止全二重音声放送装置。
【請求項６】
上記受信機構のローカルエリアネットワークユニットに、少なくとも、ZigBeeモジュールやZigBeeモジュールに接続される無線周波数アンテナが含まれることを特徴とする請求項１に記載の無線周波数交換外乱防止全二重音声放送装置。
【請求項７】
上記ZigBeeモジュールに、同期式シリアルインタフェースバッファや受信バッファ、受信パケット音声器及びフラッシュメモリが含まれることを特徴とする請求項６に記載の無線周波数交換外乱防止全二重音声放送装置。
【発明の詳細な説明】
【技術分野】
【０００１】
本発明は、無線周波数交換外乱防止全二重音声放送装置に関し、特に、全二重(両方向)音声の技術特性を有し、受信機構の機動性が良く、常に、非常ポケットベルとして携行でき、非常の場合、エミッション機構を呼び出すことができ、環境による外乱を防止でき、また、節電や短距離の非常連絡、監視及び助けることを求める目的が実現されるものに関する。
【背景技術】
【０００２】
市販のマイクロホンやスピーカ及び放送器は、一方向や有線接続の方式であり、無線機能を有するマイクロホン(放送器)でも、環境によって外乱が発生し、ユーザが、マイクロホンを交換することや位置を変換することが頻繁に行わなければならないため、ユーザにとって、不便であるだけでなく、そのマイクロホン(放送器)も、電池を交換しなければならなく、経済的にも、不向きである。
【０００３】
本発明者は、上記欠点を解消するため、慎重に研究し、また、学理を活用して、有効に上記欠点を解消でき、設計が合理である本発明を提案する。
【発明の概要】
【発明が解決しようとする課題】
【０００４】
本発明の主な目的は、全二重(両方向)音声の技術特性を実現でき、受信機構の機動性が良く、常に非常ポケットベルとして携行でき、非常の場合、エミッション機構を呼び出することができ、環境による外乱や節電でありながら、短距離非常連絡や監視及び助けることを求める目的が実現される無線周波数交換外乱防止全二重音声放送装置を提供する。
【課題を解決するための手段】
【０００５】
本発明は、上記の目的を達成するための無線周波数交換外乱防止全二重音声放送装置であり、
音声サンプリング/再建ユニットや音声サンプリング/再建ユニットに接続されるローカルエリアネットワークユニット及びローカルエリアネットワークユニットに接続される操作ユニットを有し、所定のサイクルに音声を含むか音声を含まないデータパケットを送信するエミッション機構と、
音声サンプリング/再建ユニットや音声サンプリング/再建ユニットに接続されるローカルエリアネットワークユニット及びローカルエリアネットワークユニットに接続される操作ユニットを有し、エミッション機構に連結された後、音声を有するか音声を有しないデータパケットを受信し、エミッション機構と受信機構との間において、待機状態を維持する少なくとも一つの受信機構と、が含有される。
【０００６】
本発明の一実施例において、上記エミッション機構の音声サンプリング/再建ユニットと、ローカルエリアネットワークユニットとは、同期式シリアルインタフェース(SPI)によって接続される。
【０００７】
本発明の一実施例において、上記エミッション機構のローカルエリアネットワークユニットには、少なくとも、ZigBeeモジュールやZigBeeモジュールに接続されるパワーアンプ及びパワーアンプに接続される無線周波数アンテナが含まれる。
【０００８】
本発明の一実施例において、上記ZigBeeモジュールには、同期式シリアルインタフェースバッファと転送バッファ、転送パケット音声器及びフラッシュメモリが含まれる。
【０００９】
本発明の一実施例において、上記エミッション機構の操作ユニットは、指示灯、送信/ミュートボタンや音声指示灯、電源部、マイクロホン接点及びイヤホン接点が含まれる。
【００１０】
本発明の一実施例において、上記受信機構の音声サンプリング/再建ユニットとローカルエリアネットワークユニットは、同期式シリアルインタフェース(SPI)によって接続される。
【００１１】
本発明の一実施例において、上記受信機構のローカルエリアネットワークユニットには、少なくとも、ZigBeeモジュールやZigBeeモジュールに接続される無線周波数アンテナが含まれる。
【００１２】
本発明の一実施例において、上記ZigBeeモジュールは、同期式シリアルインタフェースバッファや受信バッファ、受信パケット音声器及びフラッシュメモリが含まれる。
【００１３】
本発明の一実施例において、上記受信機構の操作ユニットは、指示灯や機能ボタン、音声指示灯、電源部、マイクロホン接点、イヤホン接点及び登録ボタンが含まれる。
【００１４】
本発明の一実施例において、上記エミッション機構の作動流れは、起動して、アイドル状態にリセットし、アップロードパケットを受信するかを判断し、しなければ、フラッシュメモリのデータを読み出して品質回報コードを設定し、データをパッケージしてダウンロードパケットを転送し、その後、再び、アイドル状態に入り、アップロードパケットを受信した場合、パケットを解読して音声データ受信レジスタにより、音声再建を行い、この時、コネクションしているかを検知し、コネクションであれば、警告パラメータを検知し、コネクションでなければ、無線周波数パラメータを設定してから、警告パラメータを検知し、警告パラメータを検知した場合、点灯や音声警告を駆動するとともに、登録や受付パラメータを検知し、警告パラメータを検知していない場合、直接に、登録や受付パラメータを検知し、また、登録や受付を必要としない場合、パラメータ読み出しステップに入って、フラッシュメモリのデータを読み出しながら、品質回報コードを設定し、また、データをパッケージしてダウンロードパケットを転送し、その後、再び、アイドル状態に入り、また、登録や受付を行う場合、登録パラメータを設定した後、レジスタのデータをフラッシュメモリに書き込み、その後、パラメータ読み出しステップに入り、フラッシュメモリのデータを読み出して、品質回報コードを設定し、それから、データをパッケージしてダウンロードパケットを転送し、その後、再び、アイドル状態に入り、また、音声サンプリングを行う時、直接に、サンプリングしてから転送データレジスタへ送信し、転送レジスタが一杯になっているかを検知し、一杯になった場合、パラメータ読み出しステップに入り、フラッシュメモリのデータを読み出して品質回報コードを設定し、データをパッケージしてダウンロードパケットを転送し、その後、再び、アイドル状態に入り、一杯になっていない場合、改めて、音声サンプリングを行う。
【００１５】
本発明の一実施例において、上記受信機構の作動流れは、起動してリセットされた後、登録かを選択し、登録を必要としない場合、登録ボタンを1秒以上を押せば、ダウンロードパケットを受信して、登録パケットへ転送し、また、登録が成功したかを検知し、成功しなければ、改めて、登録ボタンを押し、成功すれば、アイドル状態に入り、警告を行うかを判断し、警告が必要とする場合、警告を駆動した後、転送レジスタが一杯になっているかを検知し、警告が必要としない場合、直接に、転送レジスタが一杯になっているかを検知し、一杯になっている場合、パラメータ読み出しステップに入り、データをパッケージしてからアップロードパケットを転送し、一杯になっていない場合、ダウンロードパケットを受信するかを判断し、ダウンロードパケットを受信しない場合、アイドル状態に入り、ダウンロードパケットを受信する場合、周波数ホッピングであるかを判断し、若需周波数ホッピングが必要とする場合、チャンネル切替えの後、音声データ受信レジスタにより、音声再建を行い、また、アイドル状態に入り、周波数ホッピングが必要としない場合、直接に、音声データ受信レジスタによって音声再建を行い、また、アイドル状態に入り、ダウンロードパケットを受信しない場合、周波数ホッピングテーブルを交換するかを選択し、交換が必要としない場合、周波数変換の作動を行い、交換が必要とする場合、ダウンロードパケットを受信するかを判断し、また、起動してリセットされた後、登録を行う場合、ダウンロードパケットを受信するかを検知し、受信する場合、パケットを解読した後、音声データ受信レジスタによって、音声再建を行って、アイドル状態に入り、ダウンロードパケットを受信しない場合、機能ボタンを押して受付を行い、押したかを判断し、押していない場合、もう一度押すことを要請し、押した場合、受付パケットをアップロードして、ダウンロードパケットを受信し、この時、ダウンロードパケットを受信した場合、パケットを解読した後、音声データ受信レジスタによって、音声再建を行い、また、アイドル状態に入り、ダウンロードパケットを受信しなかった場合、改めて、登録ボタンを押す。
【００１６】
以下、図面を参照しながら、本発明の特徴や技術内容について、詳しく説明するが、それらの図面等は、参考や説明のためであり、本発明は、それによって制限されることが無い。
【図面の簡単な説明】
【００１７】
【図１】本発明の外観概念図
【図２】本発明の基本構造概念図
【図３】本発明のブロック概念図
【図４】本発明の操作ユニットのブロック概念図
【図５】本発明のエミッション機構の流れ概念図
【図６】本発明の受信機構の流れ概念図
【図７】本発明のタイミング企画概念図
【図８】本発明の音声パケット実測定概念図
【図９】本発明の周波数交換実測定概念図
【図１０】本発明の音声信号伝送実測定結果概念図
【発明を実施するための形態】
【００１８】
図１〜図１０は、それぞれ、本発明の外観概念図や本発明の基本構造概念図、本発明のブロック概念図、本発明の操作ユニットブロックの概念図、本発明のエミッション機構の流れ概念図、本発明の受信機構の流れ概念図、本発明のタイミング企画概念図、本発明の音声パケット実測定概念図、本発明の周波数交換実測定概念図及び本発明の音声信号伝送実測定結果概念図である。図のように、本発明は、無線周波数交換外乱防止全二重音声放送装置であり、少なくとも、一つのエミッション機構１と少なくとも一つの受信機構２とから構成される。
【００１９】
上記のエミッション機構１は、音声サンプリング/再建ユニット１１や音声サンプリング/再建ユニット１１に接続されるローカルエリアネットワークユニット１２及びローカルエリアネットワークユニット１２に接続される操作ユニット１３が含まれ、所定のサイクルに、音声を有するか音声を有しないデータパケットを送信し、上記音声サンプリング/再建ユニット１とローカルエリアネットワークユニット１２とは、同期式シリアルインタフェース(SPI)によって接続され、上記ローカルエリアネットワークユニット１２は、少なくとも、ZigBeeモジュール１２１やZigBeeモジュール１２１に接続されるパワーアンプ１２２及びパワーアンプ１２２に接続される無線周波数アンテナ１２３が含まれ、上記ZigBeeモジュール１２１は、同期式シリアルインタフェースバッファ１２１１と転送バッファ１２１２、転送パケット音声器１２１３及びフラッシュメモリ１２１４が含まれ、上記同期式シリアルインタフェースバッファ１２１１や転送バッファ１２１２及び転送パケット音声器１２１３は、音声データバッファやパケットの機能を発揮し、上記操作ユニット１３は、指示灯１３１や送信/ミュートボタン１３２、音声指示灯１３３、電源部１３４、マイクロホン接点１３５及びイヤホン接点１３６が含まれる。
【００２０】
上記受信機構２は、音声サンプリング/再建ユニット２１や音声サンプリング/再建ユニット２１に接続されるローカルエリアネットワークユニット２２及びローカルエリアネットワークユニット２２に接続される操作ユニット２３が含まれ、上記音声サンプリング/再建ユニット２１とローカルエリアネットワークユニット２２とは、同期式シリアルインタフェース(SPI)により接続され、上記ローカルエリアネットワークユニット２２は、少なくとも、ZigBeeモジュール２２１やZigBeeモジュール２２１に接続される無線周波数アンテナ２２２が含まれ、上記ZigBeeモジュール２２１は、同期式シリアルインタフェースバッファ２２１１や受信バッファ２２１２、受信パケット音声器２２１３及びフラッシュメモリ２２１４が含まれ、上記同期式シリアルインタフェースバッファ２２１１や受信バッファ２２１２及び受信パケット音声器２２１３は、音声データバッファやパケットの機能を発揮し、上記操作ユニット２３は、指示灯２３１や機能ボタン２３２、音声指示灯２３３、電源部２３４、マイクロホン接点２３５、イヤホン接点２３６及び登録ボタン２３７が含まれ、ローカルエリアネットワークユニット２２のZigBeeモジュール２２１と、無線周波数アンテナ２２２と、エミッション機構１に設置されたローカルエリアネットワークユニット１２のZigBeeモジュール１２１や無線周波数アンテナ１２３により、連結され、音声を有するか音声を有しないデータパケットを受信し、また、エミッション機構１と受信機構２との間において、待機状態に維持させる。
【００２１】
上記エミッション機構１の作動流れは、起動してリセットする（３０１）と、アイドル（３０２）状態に入り、アップロードパケットを受信する（３０３）を判断し、しなければ、フラッシュメモリのデータを読み出して（３０４）品質回報コードを設定し（３０５）、また、データをパッケージして（３０６）ダウンロードパケットを転送し（３０７）、その後、再びアイドル（３０２）状態に入り、アップロードパケットを受信する（３０３）場合、パケットを解読し（３０８）、音声データ受信レジスタ（３０９）により、音声再建（３１０）を行い、この時、コネクションであるか（３１１）を検知し、コネクションであれば、警告パラメータを検知し（３１２）、コネクションでなければ、無線周波数パラメータを設定した（３１３）後、警告パラメータを検知し（３１２）、警告パラメータを検知した場合、点灯や音声警告を駆動し（３１４）、また、登録や受付パラメータを検知し（３１５）、警告パラメータがあることを検知した場合、直接に、登録や受付パラメータを検知し（３１５）、登録や受付が必要としない場合、パラメータ読み出し（３１６）ステップに入り、フラッシュメモリのデータを読み出して（３０４）品質回報コードを設定し（３０５）、また、データをパッケージして（３０６）ダウンロードパケットを転送し（３０７）、その後、再び、アイドル（３０２）状態に入り、また、登録や受付を行う場合、登録パラメータを設定した（３１７）後、レジスタのデータをフラッシュメモリに書き込み（３１８）、その後、パラメータ読み出し（３１６）ステップに入り、フラッシュメモリのデータを読み出して（３０４）、品質回報コードを設定し（３０５）、それから、データをパッケージして（３０６）ダウンロードパケットを転送し（３０７）、その後、再び、アイドル（３０２）状態に入り、また、音声サンプリング（３１９）を行う場合、直接にサンプリングした後、転送データレジスタ（３２０）へ送信し、また、転送レジスタが一杯になっているか（３２１）を検知し、一杯になっている場合、パラメータ読み出し（３１６）ステップに入り、フラッシュメモリのデータを読み出して（３０４）品質回報コードを設定し（３０５）、また、データをパッケージして（３０６）、ダウンロードパケットを転送し（３０７）、その後、再び、アイドル（３０２）状態に入り、一杯になっていない場合、再び、音声サンプリング（３１９）を行う。
【００２２】
上記受信機構２の作動流れは、起動してリセットした（４０１）後、登録するか（４０２）を選択し、登録が必要としない場合、登録ボタンを押し（４０３）、1秒以上に押す（４０４）と、ダウンロードパケットを受信し（４０５）、また、ダウンロードパケットを受信した後、登録パケットへ転送し（４０６）、登録が成功したか（４０７）を検知し、成功しなければ、もう一度、登録ボタンを押し（４０３）、成功すれば、アイドル（４０８）状態に入り、警告（４０９）を行うかを判断し、警告が必要とすれば、警告を駆動した（４１０）後、転送レジスタが一杯になっているか（４１１）を検知し、警告が必要としない場合、直接に、転送レジスタが一杯になっているか（４１１）を検知し、一杯になっている場合、パラメータ読み出し（４１２）ステップに入り、データをパッケージした（４１３）、アップロードパケットを転送し（４１４）、一杯になっていない場合、ダウンロードパケットを受信するか（４１５）を判断し、ダウンロードパケットを受信しない場合、アイドル（４０８）状態に入り、ダウンロードパケットを受信する場合、周波数ホッピングであるか（４１６）を判断し、周波数ホッピングが必要とする場合、チャンネル切替え（４１７）をした後、音声データ受信レジスタ（４１８）により、音声再建（４１９）を行い、また、アイドル（４２０）状態に入り、周波数ホッピングが必要としない場合、直接に、音声データ受信レジスタ（４１８）により、音声再建（４１９）を行い、また、アイドル（４２０）状態に入り、ダウンロードパケットを受信しない場合、周波数ホッピングテーブルを交換するか（４２１）を選択、交換が必要としない場合、周波数変換（４２２）の作動を行い、交換が必要とする場合、更に、ダウンロードパケットを受信するか（４０５）を判断し、起動してリセットした（４０１）後、登録を行う場合、ダウンロードパケットを受信するか（４２３）を検知し、受信する場合、パケットを解読した（４２４）後、音声データ受信レジスタ（４１８）により、音声再建（４１９）を行い、また、アイドル（４２０）状態に入り、ダウンロードパケットを受信しない場合、機能ボタンを押して受付を実行し（４２５）、押したか（４２６）を判断し、押していない場合、もう一度、押すように、押した場合、受付パケットをアップロードし（４２７）、また、ダウンロードパケットを受信し（４２８）、この時、ダウンロードパケットを受信したら、パケットを解読した（４２４）後、音声データ受信レジスタ（４１８）により、音声再建（４１９）を行い、また、アイドル（４２０）状態に入り、ダウンロードパケットを受信しない場合、改めて、登録ボタン４０を押して、また、音声サンプリング（４２９）を行う場合、サンプリングした後、転送データレジスタ（４３０）へ送信し、また、データをパッケージした（４１３）後、アップロードパケットを転送し（４１４）、流れ図において、Ａ、Ｂは、それぞれ、接続点である。
【００２３】
本発明によれば、エミッション機構１と受信機構２は、登録機能や受付機能、管理機能及び自動周波数交換機能を発揮でき、各機能について、以下の通りである。
（一）登録機能を実行する時、上記受信機構２が、エミッション機構１に登録してから、上記エミッション機の音声を受信でき、登録プロセスは、次のようである。
1、受信機構２の登録ボタン２３７を1秒以上に押すこと。
２、上記エミッション機構１の指示灯１３１が点滅する。
３、それと同時に、上記受信機構２の指示灯２３１が点滅する。
4、受信機構２の機能ボタン２３２を押して、確認する。
5、成功すると、エミッション機構１と受信機構２との両方の指示灯１３１、２３１が消灯する。
【００２４】
上記のステップが、5秒内に終了されていないと、エミッション機構１と受信機構２とは、元の状態に戻り、エミッション機構１と受信機構２との両方の指示灯１３１、２３１が消灯し、また、登録した後、受信先を交換すること以外、再登録することが必要としない。
【００２５】
（二）受付機能を実行する時、受信機構２は、起動した後、受付を済んでから音声を受信でき、受付は、点呼された後、受付を受ける原則を採用し、受付プロセスは、次の通りである。
１、エミッション機構１が起動された後、登録済みの受信機構２を呼び出し、この時、起動された受信機構２が返事したら、自動に受付が完成され、また、信号を中断して指示灯２３１が消灯する。
２、受信機構２が点呼されてから起動されると、指示灯２３１が信号中断灯が点灯され、機能ボタンを押して受付を済んでから指示灯２３１が消灯する。
【００２６】
（三）管理機能を実行する時、各エミッション機構１は、多くても、255台の受信機構２が接続され、重複に登録した場合、元の番号が割り当てられ、登録が満額になると、新規登録があれば、受付していないリストから、何れかの番号を選択して重複に使用し、すべての受信機が受付されると、共通の仮番号が割り当てられ、また、仮番号の受信機構２は、改めて起動する場合、再登録が必要とし、また、登録済んだ受信機構２が受付を受ける前、番号が他の受信機に割り当てられた場合、指示灯２３１において、未登録灯が点灯し、改めて登録することが必要とする。
【００２７】
（四）自動周波数交換機能を実行する時、エミッション機構１は順番に訊ねることにより、一つずつ、受付された受信機構２を指定して受信品質を回報させ、全体の品質が悪い場合、上記エミッション機構１は周波数交換通知を発すると、周波数交換表に沿って次のチャンネルに切替え、周波数交換後、約110 msを待ち、受信機構２が周波数交換通知を受信した後、直ちに次の予定のチャンネルに切替え、受信機構２が、連続に二回、パケットを受信しなかったら、現在のチャンネルと次のチャンネルとの間に、往復に周波数交換を行い、110 msを超えると、走査機能を駆動し、快速且つ持続的に各チャンネルを走査し、また、6.4
ms毎に、周波数をエミッション機構１のパケットを受信するまで切替え、この速度で周波数交換すると、16のチャンネルを一回りにするには102.4 msが必要であるため、周波数交換を選択すると、少なくとも、110 msを待つ。各エミッション機構１は、出荷して初めて使用される時、自動的に真の乱数に基づいて、アウトオブオーダー配列により、周波数交換表が生成され、そのため、理論上、16！種類の異なる周波数交換表があり、これにより、各エミッション機構１の周波数交換表が、一致する確率は、（１/16！）＝４．８×１０ー１４しかなく、エミッション機構１が、周波数交換表を生成した後、自動的にフラッシュメモリ１２１４にバーニングし、その後、外力により無理やりバーニングすること以外、変換することなく、また、本発明を適用すると、受信機構２から、エミッション機構１に登録を申し込む時、エミッション機構１は、登録返事パケットに、周波数交換表を付録して受信機構２へ転送し、そのため、外乱がある時、快速的に、同期周波数交換を行い、また、受信機構２が、登録する時、周波数交換表を取得するため、その後、改めて登録する時だけ、上記表が変更される。
【００２８】
また、本発明は、タイミング企画する時（図７のように）、上記エミッション機構１が5ms毎に一つのパケットが送信され、各パケットの長さは57 bytesで、転送時間は(57bytes)X(8bits/sec)/250kbps=1824usであり、そのため、各受信機構２がパケットを受信し終えたら、3.176 msの長い余裕時間でパケットを処理することができる。
【００２９】
エミッション機構は、平均的に4860 ms毎に一つのパケットを送信するため、長さが17 bytesであるダウンロード立標や長さが57 bytesのダウンロード音声であってもよく、長さが33や73 bytesの登録返事情報が付録されたパケットであり、品質回報に指定された受信機構２は、ダウンロードパケットを受信した後、直ちに、品質回報パケットを送信する。
【００３０】
登録や受付を申し込む受信機構２は、各周期末端の隙間において、パケットを転送し、登録返事パケットが比較的に長く、更に、品質返事パケットによって占用された時間のため、残った隙間は、登録申し込み(或いは、受付)パケットの転送に不利であり、そのため、企画されたパケットの種類の中、登録返事パケットに、品質返事を指定せず、ダウンロードパケットが、登録返事パケットであれば、登録や受付を申し込む受信機は、パケットが終了されてから、直ちに、パケットを送信し、そうでなければ、ダウンロードパケットが終了されてから、約960 msを持つことをして、パケットを送信する。
【００３１】
本発明のパケットフォーマットは、ダウンロードパケットフォーマットやアップロードパケットフォーマットに分けられ、上記ダウンロードパケットフォーマットは、下表のようである。
【００３２】
【表１】
0005598860.tif 000002
その中：
FCF=0x80；
DSN：パケットシリアル番号；
PANID：ネットワーク番号；
Address：指定装置のシリアル番号；
RegNo：指定回報或いは割り当ての登録番号；
Channel
Seq.：周波数交換表；
Voice
Data：音声データ；
Command：ダウンロードパケットのcommand内容は、下表のようである。
【００３３】
【表２】
0005598860.tif 000003
また、アップロードパケットフォーマットは、下表のようである。
【００３４】
【表３】
0005598860.tif 000004
その中、
FCF=0x81
RegNo：登録番号
Address：装置シリアル番号
Command：アップロードパケットのcommand内容は、下表四のようである。
【００３５】
【表４】
0005598860.tif 000005
【００３６】
IEEE 802.15.4のDataパケットフォーマットに基づいて、企画的な音声パケットフォーマットは、全体として、パケットの長さは、6 bytesの物理レイヤーヘッダー (PHY Header)や2 bytesのフレーム制御フィールド(FCF)、1 bytesのパケットシリアル番号(DSN)、2 bytesの宛先PANID、2
bytesの宛先アドレス、n bytesの音声データ、2
bytesのエラ検知コード及び予めに保留される2 bytesのシステム指令空間が含まれる。その中、パケットのソースが、PAN Coordinatorであるため、Source PANIDとSource Addressフィールドが省略され、Destination Addressフィールドには、放送パケットであれば、0xFFFFが充填される。
【００３７】
また、本発明は、次の方法により、実測定して検証される。
【００３８】
（一）音声パケットの実測定：
図８は、エミッション機構１において、送信/ミュートボタン１３２が押される前後のパケットで、MSDUのパケット長さ(i.e.PHY Headerの6 Bytesを含まず)が、11 bytesから、40
bytesを増加して51 bytesになる。
【００３９】
図９は、周波数交換機能の実測定で、一回のSnifferには、一つの周波数しか観察できないため、周波数交換の状況を記録できず、テスト方式は、0x0605と0x0001の二台の受信機構２をオンラインさせてから、0x0605をオフし、それから、0x0001を、図９から分かるように、0x0605をオフすると、0x0605から、受信品質に応答しないが、0x0001が、品質0x6Cに応答するため、システムが、周波数交換を行わず、Snifferにより、パケットがあることを検知でき、それから、0x0001もオフされると、エミッション機構１は、何の回報も受信することできないため、間もなく、エミッション機構１から、周波数交換宣言(Command=0x90)を送信し、周波数が変換されて、Snifferが、パケットを検知できなくなり、1755.198 msの後に、パケットが、再び、現れ、これは、エミッション機構１が、絶えず二、周波数を変換し、一回の周波数変換に、約110 msを待つことになるため、15個の周波数の場合、約1650 msになり、更に、各周波数の周波数交換通告を発した後、約5 msを待つことが必要であるため、その間隔が、約1725 msであり、実測定と、あまり差異がない。
【００４０】
（二）音声信号伝送実測定の結果は、図１０のようであり、図において、周波数1 kHz、振幅0.5 Vの弦波を、テスト信号とし、その結果、顯示根據前記の企画に従って書かれたファームウェアにより、確実に、正確に音声を転送でき、また、遅延時間も、予期の10 ms内に控えられる。
【００４１】
本発明に係る無線周波数交換外乱防止全二重音声放送装置は、その技術上、自動周波数交換と外乱防止特性を備えるため、大幅に、既存の音声放送システムの環境による外乱を改善でき、また、その全二重音声通信機能は、従来の一方向に拡大や放送機能と異なり、エミッション機構１が、放送に使用されることだけでなく、受信機構２も、ポケットベルとすることができ、非常の時、コンソールを呼び出し、短距離の非常連絡や監視及び助ける目的に利用でき、本技術によれば、民生電子、例えば、人の呼び出しシステムや拡声システム、学習放送、無線ガイド呼び出し、監視システム、無線短距離音声及び監視救急の目的に利用でき、それから、軍隊のチーム野外巡回監視、敵前無線指揮通信システム...等として利用でき、もちろん、一般の民生用途にも適用できる。
【００４２】
以上のように、本発明に係る無線周波数交換外乱防止全二重音声放送装置は、有効に従来の諸欠点を解消でき、全二重(両方向)音声の技術特性を実現でき、また、受信機構の機動性が良く、常に非常ポケットベルとして携行でき、非常の時、エミッション機構を呼び出することができ、また、環境による外乱を防止でき、それから、節電と短距離の非常連絡、監視及び助ける目的に適用でき、そのため、本発明は、より進歩的かつより実用的で、法に従って実用新案登録請求を出願する。
【００４３】
以上は、ただ、本発明のより良い実施例であり、本発明は、それによって制限されることが無く、本発明に係わる発明の請求の範囲や明細書の内容に基づいて行った等価の変更や修正は、全てが、本発明の特許請求の範囲内に含まれる。
【符号の説明】
【００４４】
１        エミッション機構
１１      音声サンプリング/再建ユニット
１２      ローカルエリアネットワークユニット
１２１    ZigBeeモジュール
１２１１  同期式シリアルインタフェースバッファ
１２１２  転送バッファ器
１２１３  転送パケット音声器
１２１４  フラッシュメモリ
１２２    パワーアンプ
１２３    無線周波数アンテナ
１３      操作ユニット
１３１    指示灯
１３２    送信/ミュートボタン
１３３    音声指示灯
１３４    電源部
１３５    マイクロホン接点
１３６    イヤホン接点
２        受信機構
２１      音声サンプリング/再建ユニット
２２      ローカルエリアネットワークユニット
２２１    ZigBeeモジュール
２２１１  バッファ
２２１２  受信バッファ
２２１３  受信パケット音声器
２２１４  フラッシュメモリ
２２２    無線周波数アンテナ
２３      操作ユニット
２３１    指示灯
２３２    機能ボタン
２３３    音声指示灯
２３４    電源部
２３５    マイクロホン接点
２３６    イヤホン接点
２３７    登録ボタン
３０１    起動リセット
３０２    アイドル
３０３    受信アップロードパケット
３０４    フラッシュメモリのデータを読み出す
３０５    品質回報コードを設定する
３０６    データをパッケージする
３０７    ダウンロードパケットを転送する
３０８    パケットを解読する
３０９    音声データ受信レジスタ
３１０    音声再建
３１１    コネクションであるか
３１２    警告パラメータを検知する
３１３    無線周波数パラメータを設定する
３１４    点灯及音声警告を駆動する
３１５    登録や受付パラメータを検知する
３１６    パラメータを読み出す
３１７    登録パラメータを設定する
３１８    レジスタのデータをフラッシュメモリに書き込む
３１９    音声サンプリング
３２０    転送データレジスタ
３２１    転送レジスタが一杯になっているか？
４０１    起動してリセットする
４０２    登録するか？
４０３    登録ボタンを押す
４０４    1秒以上押す
４０５    ダウンロードパケットを受信する
４０６    登録パケットを転送する
４０７    登録が成功したか？
４０８    アイドル
４０９    警告
４１０    警告を駆動する
４１１    転送レジスタが一杯になっているか？
４１２    パラメータを読み出す
４１３    データをパッケージする
４１４    アップロードパケットを転送する
４１５    ダウンロードパケットを受信する
４１６    周波数ホッピングであるか？
４１７    チャンネル切替え
４１８    音声データ受信レジスタ
４１９    音声再建
４２０    アイドル
４２１    周波数ホッピングテーブルを交換するか？
４２２    周波数変換
４２３    ダウンロードパケットを受信する
４２４    パケットを解読する
４２５    機能ボタンを押して受付を行う
４２６    押しているか？
４２７    受付パケットをアップロードする
４２８    ダウンロードパケットを受信する
４２９    音声サンプリング
４３０    転送データレジスタ一
【図１】
0005598860.tif 000006
【図２】
0005598860.tif 000007
【図３】
0005598860.tif 000008
【図４】
0005598860.tif 000009
【図５】
0005598860.tif 000010
【図６】
0005598860.tif 000011
【図７】
0005598860.tif 000012
【図８】
0005598860.tif 000013
【図９】
0005598860.tif 000014
【図１０】
0005598860.tif 000015